(57)【要約】【課題】  白鍵と黒鍵とで構造が異なっていても、ほぼ同じ鍵タッチ感が得られるようにする。【解決手段】  鍵盤装置は、揺動軸回りに揺動して前端を上下に変位させる複数の白鍵及び黒鍵と、複数の白鍵及び黒鍵にそれぞれ対応した複数の反力発生部材２１ｗ，２１ｂを備えている。反力発生部材２１ｗ，２１ｂは、ドーム状に薄肉に形成されて押圧により弾性変形するドーム部２１ｗ１，２１ｂ１と、ドーム部２１ｗ１，２１ｂ１の下端の全周に渡って下方に連続するとともにドーム部２１ｗ１，２１ｂ１の下端面よりも外側に張り出すように厚肉にドーム部２１ｗ１，２１ｂ１と一体形成されて、ドーム部２１ｗ１，２１ｂ１を支持するベース部２１ｗ３，２１ｂ３とをそれぞれ有する。ドーム部２１ｗ１の下端の高さ位置と、ドーム部２１ｂ１の下端の高さ位置とがずれている。【選択図】  図３
2015068970.tif 000002
【特許請求の範囲】
【請求項１】
揺動軸回りに揺動して前端を上下に変位させる白鍵及び黒鍵からなる複数の鍵と、
前記複数の鍵にそれぞれ対応して設けられた複数の反力発生部材であって、弾性体によって構成され、前記複数の鍵の押鍵時に押圧されて、前記複数の鍵の押鍵操作に対してそれぞれ反力を発生する反力発生部材とを備えた電子楽器の鍵盤装置において、
前記複数の反力発生部材は、ドーム状に薄肉に形成されて押圧により弾性変形するドーム部と、前記ドーム部の下端の全周に渡って下方に連続するとともに前記ドーム部の下端面よりも外側に張り出すように厚肉に前記ドーム部と一体形成されて、前記ドーム部を支持するベース部とをそれぞれ有し、
白鍵用のドーム部の下端面と前記白鍵用のドーム部の軸心及び黒鍵用のドーム部の軸心のうちのいずれか一方の軸心との交点の位置と、前記黒鍵用のドームの下端面と前記一方の軸心との交点の位置とをずらしたことを特徴とする電子楽器の鍵盤装置。
【請求項２】
前記白鍵用のドーム部の下端面と前記白鍵用のドーム部の軸心との交点の位置と、前記黒鍵用のドーム部の下端面と前記黒鍵用のドーム部の軸心との交点の位置とを、前記複数の鍵の上下方向において異ならせた請求項１に記載した電子楽器の鍵盤装置。
【請求項３】
前記白鍵用のドーム部の下端面と前記白鍵用のドーム部の軸心との交点の位置と、前記黒鍵用のドーム部の下端面と前記黒鍵用のドーム部の軸心との交点の位置とを、白鍵及び黒鍵の延設方向において異ならせたことを特徴とする請求項１又は２に記載した電子楽器の鍵盤装置。
【請求項４】
前記白鍵用の反力発生部材と、前記黒鍵用の反力発生部材とは一体形成されており、
前記白鍵用のべース部と前記黒鍵用のべース部の形状を異ならせたことを特徴とする請求項１乃至３のうちのいずれか一つに記載した電子楽器の鍵盤装置。
【請求項５】
前記白鍵用のべース部の上面と前記黒鍵用のべース部の上面の間に段差又は傾斜を設けた請求項４に記載した電子楽器の鍵盤装置。
【請求項６】
前記白鍵用の反力発生部材と、前記黒鍵用の反力発生部材とは一体形成されており、
前記白鍵用のベース部の下面と前記黒鍵用のべース部の下面とを、白鍵及び黒鍵の延設方向において連続して傾斜させたことを特徴とする請求項３に記載した電子楽器の鍵盤装置。
【請求項７】
前記白鍵用のドーム部と、前記黒鍵用のドーム部とを同じ形状及び大きさにした請求項１乃至６のうちのいずれか一つに記載した電子楽器の鍵盤装置。
【請求項８】
揺動軸回りに揺動して前端を上下に変位させる白鍵及び黒鍵からなる複数の鍵と、
前記複数の鍵にそれぞれ対応して設けられた複数の反力発生部材であって、弾性体によって構成され、前記複数の鍵の押鍵時に押圧されて、前記複数の鍵の押鍵操作に対してそれぞれ反力を発生する反力発生部材とを備えた電子楽器の鍵盤装置において、
前記複数の反力発生部材は、薄肉に形成されて押圧により弾性変形する本体部と、前記本体部の下端の全周に渡って下方に連続するとともに前記本体部の下端よりも外側に張り出すように厚肉に前記本体部と一体形成されて、前記本体部を支持するベース部とをそれぞれ有し、
前記白鍵用の本体部の下端と前記黒鍵用の本体部の下端との上下方向の位置を異ならせたことを特徴とする電子楽器の鍵盤装置。
【発明の詳細な説明】
【技術分野】
【０００１】
本発明は、演奏者の操作に対して弾性変形による反力を発生するための反力発生部材を備えた電子楽器の鍵盤装置に関する。
【背景技術】
【０００２】
従来から、電子オルガン、電子ピアノ等の鍵盤楽器には、押鍵操作に対して反力を付与するためのラバードームからなる反力発生部材を設けることがある。例えば、下記特許文献１には、鍵を上方にて揺動可能に支持するフレームに固定された回路基板上に、ラバードームを有する反力発生部材（鍵スイッチ）を設けた鍵盤装置が示されている。反力発生部材は、白鍵と黒鍵とで同様に構成され、黒鍵用の反力発生部材を白鍵用の反力発生部材の後方に位置させて、押鍵時に鍵によって押されることにより弾性変形して反力を発生し、白鍵と黒鍵とで同一の鍵タッチ感を与えるようにしている。
【先行技術文献】
【特許文献】
【０００３】
【特許文献１】特開平１１−１７５０６７号公報
【発明の概要】
【０００４】
しかしながら、上記従来の装置では、反力発生部材の高さは白鍵と黒鍵とで同じであり、一方、白鍵と黒鍵とではストローク量が異なるので、白鍵と黒鍵とで鍵タッチを一致させ難い。また、上記従来の装置に限らず、白鍵と黒鍵では構造が異なり、鍵の長さ、ストローク量、支点位置などが、白鍵と黒鍵では異なっていることが一般的である。このような問題を解決するためには、白鍵と黒鍵とで、サイズ、形状、機能などが異なる反力発生部材を採用せざるを得ない。一方、上記従来技術のようなドーム型の反力発生部材を採用する場合、白鍵と黒鍵とで同じ鍵タッチ感を得るために、白鍵と黒鍵とで、ほぼ同じサイズ、形状、機能などを有する反力発生部材を採用したいという要望がある。
【０００５】
本発明は、前記問題に対処するとともに、前記要望に応えるためになされたもので、その目的は、白鍵と黒鍵とでほぼ同じ鍵タッチ感が得られるようにした電子楽器の鍵盤装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明の特徴は、揺動軸（Ｃｗ，Ｃｂ）回りに揺動して前端を上下に変位させる白鍵（１１ｗ）及び黒鍵（１１ｂ）からなる複数の鍵と、複数の鍵にそれぞれ対応して設けられた複数の反力発生部材であって、弾性体によって構成され、複数の鍵の押鍵時に押圧されて、複数の鍵の押鍵操作に対してそれぞれ反力を発生する反力発生部材（２１ｗ，２１ｂ）とを備えた電子楽器の鍵盤装置において、複数の反力発生部材は、ドーム状に薄肉に形成されて押圧により弾性変形するドーム部（２１ｗ１，２１ｂ１）と、ドーム部の下端の全周に渡って下方に連続するとともにドーム部の下端面よりも外側に張り出すように厚肉にドーム部と一体形成されて、ドーム部を支持するベース部とをそれぞれ有し、白鍵用のドーム部の下端面と白鍵用のドーム部の軸心（Ｙｗ）及び黒鍵用のドーム部の軸心（Ｙｂ）のうちのいずれか一方の軸心との交点（Ｐｗ，Ｐｗ’）の位置と、黒鍵用のドームの下端面と前記一方の軸心との交点（Ｐｂ，Ｐｂ’）の位置とをずらしたことにある。
【０００７】
この場合、例えば、白鍵用のドーム部の下端面と白鍵用のドーム部の軸心との交点（Ｐｗ）の位置と、黒鍵用のドーム部の下端面と黒鍵用のドーム部の軸心との交点（Ｐｂ）の位置とを、複数の鍵の上下方向において異ならせるとよい。また、白鍵用のドーム部と、黒鍵用のドーム部とを同じ形状及び大きさにするとよい。
【０００８】
なお、前記交点の位置の定義は、白鍵用のドーム部の下端面と黒鍵用のドーム部の下端面との軸心方向における相違を定義しようとするものであり、この点について図１６を用いて説明しておく。まず、図１６（Ａ）に示すように、白鍵用の反力発生部材２１ｗのドーム部２１ｗ１の軸心Ｙｗと、黒鍵用の反力発生部材２１ｂのドーム部２１ｂ１の軸心Ｙｂとが平行である場合について説明する。この場合、ドーム部２１ｗ１，２１ｂ１の下端面の軸心Ｙｗ，Ｙｂの方向における距離の差ΔＬは、ドーム部２１ｗ１の下端面と軸心Ｙｗとの交点Ｐｗと、ドーム部２１ｂ１の下端面と軸心Ｙｂとの交点Ｐｂの両軸心Ｙｗ，Ｙｂの方向における距離として定義できる。なお、この場合の前記距離の差ΔＬは、ドーム部２１ｗ１の下端面と軸心Ｙｗとの交点Ｐｗと、ドーム部２１ｂ１の下端面と軸心Ｙｗとの交点Ｐｂ’との距離の差としても定義できるとともに、ドーム部２１ｗ１の下端面と軸心Ｙｂとの交点Ｐｗ’と、ドーム部２１ｂ１の下端面と軸心Ｙｂとの交点Ｐｂとの距離の差としても定義できる。
【０００９】
しかし、図１６（Ｂ）に示すように、黒鍵用の反力発生部材２１ｂを白鍵用の反力発生部材２１ｗに対して傾けて組付ける場合もあり、この場合には、両軸心Ｙｗ，Ｙｂは平行でない。したがって、この場合には、ドーム部２１ｗ１の下端面の軸心Ｙｗの方向における位置と、ドーム部２１ｂ１の下端面の軸心Ｙｂの方向における位置との相違を両軸心Ｙｗ，Ｙｂを用いて定義できない。したがって、前記両軸心Ｙｗ，Ｙｂが平行である場合も含めて、ドーム部２１ｗ１の軸心Ｙｗ及びドーム部２１ｂ１の軸心Ｙｂのうちの一方の軸心を用いて、ドーム部２１ｗ１，２１ｂ１の両下端面の位置との相違を定義する。すなわち、ドーム部２１ｗ１の下端面と軸心Ｙｗとの交点Ｐｗと、ドーム部２１ｂ１の下端面と軸心Ｙｗとの交点Ｐｂ’との軸心Ｙｗの方向における距離を定義する。あるいは、ドーム部２１ｂ１の下端面と軸心Ｙｂとの交点Ｐｂと、ドーム部２１ｗ１の下端面と軸心Ｙｂとの交点Ｐｗ’との軸心Ｙｂの方向における距離を定義する。なお、この場合でも、図１６（Ｂ）においては、軸心Ｙｗに対する軸心Ｙｂに対する傾斜を誇張して示しているので、実質的には図１６（Ａ）のようにドーム部２１ｗ１の下端面と、ドーム部２１ｂ１の下端面とにおける軸心Ｙｗ（又は軸心Ｙｂ）の方向における距離が存在する。
【００１０】
上記のように構成した本発明においては、白鍵用のドーム部の下端面と白鍵用のドーム部の軸心及び黒鍵用のドーム部の軸心のうちのいずれか一方の軸心との交点の位置と、黒鍵用のドームの下端面と前記一方の軸心との交点の位置をずらすことにより、白鍵用のドーム部の下端面と、黒鍵用のドーム部の下端面の位置とを実質的に異ならせるようにした。これにより、白鍵用の反力発生部材と黒鍵用の反力発生部材を異なる高さで利用する鍵盤装置においても、白鍵用のドーム部と黒鍵用のドーム部とを同一又はほぼ同一に構成することができ、白鍵と黒鍵とでほぼ同一の鍵タッチ感を得ることができる。
【００１１】
また、本発明の他の特徴は、白鍵用のドーム部の下端面と白鍵用のドーム部の軸心との交点の位置と、黒鍵用のドーム部の下端面と黒鍵用のドーム部の軸心との交点の位置とを、白鍵及び黒鍵の延設方向において異ならせたことにある。これにより、白鍵用の反力発生部材と黒鍵用の反力発生部材を、白鍵及び黒鍵の延設方向の異なる位置で利用する鍵盤装置においても、白鍵と黒鍵とでほぼ同一の鍵タッチ感を得ることができる。
【００１２】
また、本発明の他の特徴は、白鍵用の反力発生部材と、前記黒鍵用の反力発生部材とは一体形成されており、白鍵用のべース部と黒鍵用のべース部の形状を異ならせたことにある。この場合、例えば、白鍵用のべース部の上面と黒鍵用のべース部の上面との間に段差（２１ｐ，２１ｑ）又は傾斜（２１ｒ）を設けるとよい。これによれば、一体形成された白鍵用及び黒鍵用の反力発生部材を異なる高さを必要とする位置に組付けるだけで、白鍵用及び黒鍵用のベース部により白鍵と黒鍵との間における高さの相違が吸収される。その結果、前記白鍵と黒鍵とでほぼ同一の鍵タッチ感を得る効果に加えて反力発生部材の組み付けが簡単になる。
【００１３】
また、本発明の他の特徴は、白鍵用の反力発生部材と、黒鍵用の反力発生部材とは一体形成されており、白鍵用のベース部の下面と黒鍵用のべース部の下面とを、白鍵及び黒鍵の延設方向において連続して傾斜させるようにしたことにある。これによれば、一体形成された白鍵用及び黒鍵用の反力発生部材を異なる高さを必要とする位置に組付けるだけで、白鍵用及び黒鍵用のベース部の下面の傾斜により白鍵と黒鍵との間における高さの相違が吸収される。その結果、前記白鍵と黒鍵とでほぼ同一の鍵タッチ感を得る効果に加えて反力発生部材の組み付けが簡単になる。
【００１４】
また、本発明の特徴は、揺動軸（Ｃｗ，Ｃｂ）回りに揺動して前端を上下に変位させる白鍵（１１ｗ）及び黒鍵（１１ｂ）からなる複数の鍵と、複数の鍵にそれぞれ対応して設けられた複数の反力発生部材であって、弾性体によって構成され、複数の鍵の押鍵時に押圧されて、複数の鍵の押鍵操作に対してそれぞれ反力を発生する反力発生部材（２１ｗ，２１ｂ）とを備えた電子楽器の鍵盤装置において、複数の反力発生部材は、薄肉に形成されて押圧により弾性変形する本体部（２１ｗ１，２１ｂ１）と、本体部の下端の全周に渡って下方に連続するとともに本体部の下端よりも外側に張り出すように厚肉に本体部と一体形成されて、本体部を支持するベース部（２１ｗ３，２１ｂ３）とをそれぞれ有し、白鍵用の本体部の下端と黒鍵用の本体部の下端との上下方向の位置を異ならせたことにあると捉えることもできる。
【００１５】
これによっても、白鍵用の反力発生部材と黒鍵用の反力発生部材を異なる高さで利用する鍵盤装置においても、白鍵用の本体部と黒鍵用の本体部とを同一又はほぼ同一に構成することができ、白鍵と黒鍵とでほぼ同一の鍵タッチ感を得ることができる。
【図面の簡単な説明】
【００１６】
【図１】本発明の第１実施形態に係る鍵盤装置の概略側面図である。
【図２】図１の鍵盤装置の概略平面図である。
【図３】図２の３−３線に沿って見た反力発生部材部分の拡大断面図である。
【図４】本発明の第２実施形態に係る鍵盤装置の概略側面図である。
【図５】図４の鍵盤装置の概略平面図である。
【図６】図５の６−６線に沿って見た反力発生部材部分の拡大断面図である。
【図７】本発明の第３実施形態に係る鍵盤装置の概略側面図である。
【図８】図７の鍵盤装置の概略平面図である。
【図９】図８の９−９線に沿って見た反力発生部材部分の拡大断面図である。
【図１０】前記第３実施形態の反力発生部材部分の変形例を示す拡大断面図である。
【図１１】本発明の第４実施形態に係る鍵盤装置の概略側面図である。
【図１２】図１１の鍵盤装置の概略平面図である。
【図１３】図１２の１３−１３線に沿って見た反力発生部材部分の拡大断面図である。
【図１４】前記第４実施形態の反力発生部材部分の変形例を示す拡大断面図である。
【図１５】本発明の第５実施形態に係る鍵盤装置の概略側面図である。
【図１６】（Ａ）（Ｂ）は、白鍵用の反力発生部材及び黒鍵用の反力発生部材のドーム部の下端面の位置を説明するための説明図である。
【発明を実施するための形態】
【００１７】
ａ．第１実施形態
以下、本発明の第１実施形態について図面を用いて説明する。図１は第１実施形態に係る鍵盤装置を右から見た概略側面図であり、図２は前記鍵盤装置の概略平面図である。なお、図１及び後述する図４，７，１１，１５の鍵盤装置の概略側面図においては、鍵盤装置の前後方向を左右方向とし、鍵盤装置の上下方向を上下方向とする。
【００１８】
この鍵盤装置は、演奏者によって押離鍵操作される複数の白鍵１１ｗ及び複数の黒鍵１１ｂと、演奏者の押鍵操作に対して反力を付与する複数の反力発生部材２１ｗ，２１ｂとを備えている。白鍵１１ｗは、前後方向に長尺状に形成されるとともに下方を開放させた断面コ字状に形成されて、鍵フレーム３１の平板状の上板部３１ａ上に配置されている。鍵フレーム３１は、上板部３１ａの前端及び後端から下方に延設された平板上の脚部３１ｂ，３１ｃを有し、脚部３１ｂ，３１ｃの下端部分にて楽器内に設けたフレームＦＲ上に固定されている。鍵フレーム３１の上板部３１ａの後端部の上面上には、白鍵１１ｗの内側にて対向する一対の板状の鍵支持部３２が立設固定されている。鍵支持部３２の上部には、互いに対向する位置にてそれぞれ外側に突出した突出部が設けられ、突出部を白鍵１１ｗの両側面後端部に設けた貫通孔に内側から回転可能に侵入させている。これにより、白鍵１１ｗは、鍵支持部３２により揺動可能に支持され、前端部を上下方向に変位させる。以下の説明では、この白鍵１１ｗの揺動中心を揺動軸Ｃｗとする。黒鍵１１ｂは、前部上面が高くなっている形状こそ異なるが、他の構成は白鍵１１ｗと同様である。そして、黒鍵１１ｂも、鍵支持部３２により揺動軸Ｃｂ回りに揺動可能に支持されて、揺動により前端部を上下方向に変位させる。なお、本実施形態においては、黒鍵１１ｂの揺動軸Ｃｂと、白鍵１１ｗの揺動軸Ｃｗとは、前後方向及び上下方向において同一位置に位置する。
【００１９】
鍵フレーム３１の上板部３１ａの上面には、白鍵１１ｗの前端部の下方位置にて鍵ガイド３３ｗが立設しており、黒鍵１１ｂの前端部の下方位置にて鍵ガイド３３ｂが立設している。鍵ガイド３３ｗ，３３ｂは白鍵１１ｗ及び黒鍵１１ｂ内にそれぞれ摺動可能に侵入しており、白鍵１１ｗ及び黒鍵１１ｂは、それらの上下方向の揺動時に左右方向に変位しないようになっている。
【００２０】
反力発生部材２１ｗは各白鍵１１ｗに対してそれぞれ設けられるとともに、反力発生部材２１ｂは各黒鍵１１ｂに対してそれぞれ設けられている。反力発生部材２１ｗ，２１ｂは、白鍵１１ｗ及び黒鍵１１ｂの前後方向の中央部の下方にて、鍵フレーム３１の上板部３１ａの上面に固定されている。この場合、白鍵１１ｗ用の反力発生部材２１ｗの前後方向の位置と、黒鍵１１ｂ用の反力発生部材２１ｂの前後方向の位置は同じであり、反力発生部材２１ｗ，２１ｂは鍵盤の横方向に１列に配置されている。そして、複数の反力発生部材２１ｗ，２１ｂが一体成形により形成されている。
【００２１】
ここで、反力発生部材２１ｗ，２１ｂについて説明しておく。図３は、図２の３−３線に沿って見た反力発生部材部分の拡大断面図である。複数の反力発生部材２１ｗ，２１ｂは、弾性を有するゴムにより一体形成されている。各反力発生部材２１ｗ，２１ｂは、ドーム部２１ｗ１，２１ｂ１、トップ部２１ｗ２，２１ｂ２及びベース部２１ｗ３，２１ｂ３をそれぞれ有する。ドーム部２１ｗ１，２１ｂ１は、軸心Ｙｗ，Ｙｂを中心に点対称のドーム状（お椀状）に形成されており、上方からの押圧により変形し易い薄肉に形成されている。逆に言えば、軸線Ｙｗ，Ｙｂとは、本体部２１ｗ１，２１ｂ１及びトップ部２１ｗ２，２１ｂ２の中心軸線である。そして、軸線Ｙｗ，Ｙｂは、反力ベクトルの起点を通り、ベクトル方向に延びる力の作用線でもある。具体的には、ドーム部２１ｗ１，２１ｂ１は、上方からの押圧力の増加により弾性変形して反力を徐々に増加させるとともに、反力がピークに達した後に座屈変形によって反力を急激に減少させ、その後、反力を徐々に増加させる。ドーム部２１ｗ１とドーム部２１ｂ１とは同一な形状、特にドーム部２１ｗ１の下端面から上端面までの距離Ｌｗはドーム部２１ｂ１の下端面から上端面までの距離Ｌｂに等しい。なお、このドーム部２１ｗ，２１ｂは、別の観点から見た本発明の本体部に相当する。
【００２２】
トップ部２１ｗ２，２１ｂ２は、軸心Ｙｗ，Ｙｂに対して点対称の円筒状に形成されて、上方からの押圧によってもほとんど変形しない厚肉に形成されている。トップ部２１ｗ２，２１ｂ２は、下面にてドーム部２１ｗ１，２１ｂ１の上面に接続されるとともに、全周にわたって均一の高さに設定され、その上面は平面である。トップ部２１ｗ２，２１ｂ２の上部における周方向の一部には、トップ部２１ｗ２，２１ｂ２の内部と外部とを連通させる空気逃がし用の切込部（図示しない）が設けられている。トップ部２１ｗ２とトップ部２１ｂ２とは、同一な形状に形成されている。
【００２３】
ベース部２１ｗ３，２１ｂ３は、ドーム部の下端の全周に渡って下方に連続するとともに、ドーム部２１ｗ１，２１ｂ１の下端面よりも外側に張り出すように形成されている。このべース部２１ｗ３，２１ｂ３も、上方からの押圧によってもほとんど変形しない厚肉に形成されている。複数のべース部２１ｗ３，２１ｂ３は、隣合うべース部２１ｂ３，２１ｗ３と連続して一体的に形成されて、それらの底面は共通な平面を構成する。一方、各べース部２１ｗ３，２１ｂ３の上面も平面であるが、べース部２１ｂ３，２１ｗ３間の上面には段差２１ｐが設けられている。これにより、白鍵１１ｗ用のべース部２１ｗ３の高さは、黒鍵１１ｂ用のべース部２１ｂ３の高さよりも低い。
【００２４】
べース部２１ｗ３，２１ｂ３の下面には、適宜箇所にて、ベース部２１ｗ３，２１ｂ３の下面から垂直下方に円柱状に突出した複数の脚部２２が設けられている。複数の脚部２２も、ドーム部２１ｗ１，２１ｂ１、トップ部２１ｗ２，２１ｂ２及びべース部２１ｗ３，２１ｂ３と、弾性体により一体形成されている。脚部２２は、鍵フレーム３１の上板部３１ａに設けた支持部３１ｄに反力発生部材２１ｗ，２１ｂを固定するもので、支持部３１ｄに設けた貫通孔に圧入される。なお、脚部２２をなくして、ベース部２１ｗ３，２１ｂ３の下面を、鍵フレーム３１の上板部３１ａ（支持部３１ｄ）上に接着剤などにより固定するようにしてもよい。
【００２５】
そして、支持部３１ｄの上面は水平面であるので、反力発生部材２１ｗ，２１ｂは、軸心Ｙｗ，Ｙｂを互いに平行かつ支持部３１ｄに対して垂直に保った状態で支持部３１ｄの上面に固定されている。これにより、段差２１ｐによるべース部２１ｗ３，２１ｂ３の高さの違いにより、支持部３１ｄの上面に反力発生部材２１ｗ，２１ｂを固定した状態では、反力発生部材２１ｗのトップ部２１ｗ２の上面の高さは、反力発生部材２１ｂのトップ部２１ｂ２の上面の高さよりも低くなる。この高さの差は、白鍵１１ｗを押鍵した場合と、黒鍵１１ｂを押鍵した場合とで、反力発生部材２１ｗ（ドーム部２１ｗ１）及び反力発生部材２１ｂ（ドーム部２１ｂ１）の変形開始時、反力ピーク時、及び変形終了時における、白鍵１１ｗの前端上面の下方への移動量と黒鍵１１ｂの前端上面の下方への移動量とがほぼ同じになるように設定されている。
【００２６】
また、白鍵１１ｗ及び黒鍵１１ｂの下面であって、反力発生部材２１ｗ，２１ｂのトップ部２１ｗ２，２１ｂ２の上面に対向する位置には、反力発生部材２１ｗ，２１ｂを上方から押圧する押圧部１１ｗ１，１１ｂ１がそれぞれ設けられている。押圧部１１ｗ１，１１ｂ１は平板状に構成され、その下面は、平面であって、白鍵１１ｗ及び黒鍵１１ｂの下面に対して、前側にて高く後側にて低くなるように傾斜している。この押圧部１１ｗ１，１１ｂ１の傾斜は、反力発生部材２１ｗ，２１ｂの反力のピーク時において、押圧部１１ｗ１，１１ｂ１の下面の法線（下面に垂直な直線）が、反力発生部材２１ｗ、２１ｂの軸心Ｙｗ，Ｙｂにそれぞれ平行になるように設定されている。また、反力発生部材２１ｗ，２１ｂによる反力のピーク時において、反力方向は反力発生部材２１ｗ，２１ｂの軸線Ｙｗ，Ｙｂの方向と一致する。したがって、反力発生部材２１ｗ，２１ｂによる反力のピーク時において、反力方向を白鍵２１ｗと黒鍵２１ｂとで異ならせて、反力のピーク時における反力発生部材２１ｗ，２１ｂの押圧方向が反力発生部材２１ｗ，２１ｂの反力方向と一致するようにしているとも捉えることができる。この場合、黒鍵１１ｂの押圧部１１ｂ１の下面の水平（黒鍵１１ｂの下面）に対する傾斜は、白鍵１１ｗの押圧部１１ｗ１の下面の水平（白鍵１１ｗの下面）に対する傾斜よりも若干量だけ大きい。なお、前記反力のピーク時において押圧部１１ｗ１，１１ｂ１の押圧点を含む下面の法線が軸心Ｙｗ，Ｙｂにそれぞれ平行になるように設定されるならば、これらの押圧部１１ｗ１，１１ｂ１の下面は平面でなくても、球面状であってもよい。また、押圧部１１ｗ１，１１ｂ１を、白鍵１１ｗ及び黒鍵１１ｂの内部上面から下方に突出させた十字型、Ｈ字型等のリブなどで構成してもよい。
【００２７】
また、この鍵盤装置は、押圧部１１ｗ１，１１ｂ１と鍵支持部３２の中間位置にて、白鍵１１ｗ及び黒鍵１１ｂと、鍵フレーム３１の上板部３１ａとの間にそれぞれ組み込まれた白鍵１１ｗ用のスプリング３４ｗ及び黒鍵１１ｂ用のスプリング３４ｂを備えている。スプリング３４ｗ，３４ｂは、白鍵１１ｗ及び黒鍵１１ｂを上板部３１ａに対して上方に付勢している。なお、これらのスプリング３４ｗ，３４ｂは、コイル状でなくても、白鍵１１ｗ及び黒鍵１１ｂを上方に付勢することができれば、板ばねのようなスプリングでもよい。
【００２８】
白鍵１１ｗは、その前端部から下方に延設させた延設部１１ｗ２を備え、延設部１１ｗ２の下端には前方に突出させた係合部１１ｗ３が設けられ、係合部１１ｗ３は鍵フレーム３１の上板部３１ａに設けた貫通孔を介して、上板部３１ａの下方に上方から侵入している。また、鍵フレーム３１の上板部３１ａの前端部下面には上限ストッパ部材３５ｗが設けられている。上限ストッパ部材３５ｗは、フェルトのような緩衝部材により構成されており、白鍵１１ｗの係合部１１ｗ３との当接により、白鍵１１ｗの前端部の上方への変位を規制する。また、鍵フレーム３１の上板部３１ａの前端部上面には下限ストッパ部材３６ｗが設けられている。下限ストッパ部材３６ｗも、フェルトのような緩衝部材により構成されており、白鍵１１ｗの前端部下面との当接により、白鍵１１ｗの前端部の下方への変位を規制する。
【００２９】
黒鍵１１ｂは、その前端部から下方に延設させた延設部１１ｂ２を備え、延設部１１ｂ２の下端には後方に突出させた係合部１１ｂ３が設けられ、係合部１１ｂ３は鍵フレーム３１の上板部３１ａに設けた貫通孔を介して、上板部３１ａの下方に上方から侵入している。また、鍵フレーム３１の上板部３１ａの中間部下面には上限ストッパ部材３５ｂが設けられている。上限ストッパ部材３５ｂも、フェルトのような緩衝部材により構成されており、黒鍵１１ｂの係合部１１ｂ３との当接により、黒鍵１１ｂの前端部の上方への変位を規制する。また、鍵フレーム３１の上板部３１ａの中間部上面には下限ストッパ部材３６ｂが設けられている。下限ストッパ部材３６ｂも、フェルトのような緩衝部材により構成されており、黒鍵１１ｂの前端部下面との当接により、黒鍵１１ｂの前端部の下方への変位を規制する。
【００３０】
また、鍵フレーム３１の上板部３１ａの下面であって反力発生部材２１ｗ，２１ｂの若干後方位置には、電気回路基板３７が上板部３１ａと平行になるように固定されている。電気回路基板３７の上面には、白鍵１１ｗ及び黒鍵１１ｂのためのドーム状の鍵スイッチ３８ｗ，３８ｂがそれぞれ固定されている。鍵スイッチ３８ｗ，３８ｂは、白鍵１１ｗ及び黒鍵１１ｂの押鍵時に白鍵１１ｗ及び黒鍵１１ｂの下面から突出させた突出部により押圧されてオフ状態からオン状態に変化して、白鍵１１ｗ及び黒鍵１１ｂの押離鍵操作を検出する。なお、この鍵スイッチ３８ｗ，３８ｂによる押離鍵操作の検出は、楽音信号の発生制御に利用される。
【００３１】
次に、前記のように構成した第１実施形態に係る鍵盤装置の動作について説明する。演奏者が白鍵１１ｗ及び黒鍵１１ｂを押し始めると、白鍵１１ｗ及び黒鍵１１ｂはスプリング３４ｗ，３４ｂの反力に抗して、揺動軸Ｃｗ，Ｃｂ回りにそれぞれ揺動を開始し、白鍵１１ｗ及び黒鍵１１ｂの前端部が下方に変位して係合部１１ｗ３，１１ｂ３が上限ストッパ部材３５ｗ，３５ｂから離れ、その後、押圧部１１ｗ１，１１ｂ１が反力発生部材２１ｗ，２１ｂのトップ部２１ｗ２，２１ｂ２の上面の後側端部に当接する。そして、白鍵１１ｗ及び黒鍵１１ｂがさらに押されると、白鍵１１ｗ及び黒鍵１１ｂの前端部が下方に変位して、押圧部１１ｗ１，１１ｂ１の押圧により反力発生部材２１ｗ，２１ｂのドーム部２１ｗ１，２１ｂ１が変形し始める。これにより、演奏者は、スプリング３４ｗ，３４ｂによる反力に加えて、反力発生部材２１ｗ，２１ｂの徐々に増加する反力を感じ始める。
【００３２】
白鍵１１ｗ及び黒鍵１１ｂがさらに押されると、反力発生部材２１ｗ，２１ｂの反力がピークに達して、その後に、ドーム部２１ｗ１，２１ｂ１が座屈変形し始める。これにより、演奏者は明確なクリック感を感じる。なお、鍵スイッチ３８ｗ，３８ｂは、この座屈よりも若干遅れて、白鍵１１ｗ及び黒鍵１１ｂの下面から突出させた突出部の押圧によりオフ状態からオン状態に変化する。この鍵スイッチ３８ｗ，３８ｂのオン状態への変化に応答して、図示しない楽音信号発生回路は楽音信号を発生し始める。
【００３３】
さらに、白鍵１１ｗ及び黒鍵１１ｂが押されると、白鍵１１ｗ及び黒鍵１１ｂの前端下面が下限ストッパ部材３６ｗ，３６ｂに当接して、白鍵１１ｗ及び黒鍵１１ｂの揺動は終了する。この状態では、反力発生部材２１ｗ，２１ｂの弾性変形も終了する。そして、白鍵１１ｗ及び黒鍵１１ｂが離鍵されると、反力発生部材２１ｗ，２１ｂ及びスプリング３４ｗ，３４ｂの反力により、白鍵１１ｗ及び黒鍵１１ｂの前端部は上方に変位する。この白鍵１１ｗ及び黒鍵１１ｂの前端部が上方へ変位して戻る過程においては、鍵スイッチ３８ｗ，３８ｂはオン状態からオフ状態に変化して、図示しない楽音信号発生回路は楽音信号の発生停止を制御する。さらに、白鍵１１ｗ及び黒鍵１１ｂの前端部が上方へ変位すると、係合部１１ｗ３，１１ｂ３は上限ストッパ部材３５ｗ，３５ｂに当接して、白鍵１１ｗ及び黒鍵１１ｂは離鍵状態に戻る。
【００３４】
上記のように構成されて動作する鍵盤装置においては、べース部２１ｗ３の厚さ（軸心Ｙｗの方向の長さ）とべース部２１ｂ３の厚さ（軸心Ｙｂの方向の長さ）を異ならせることにより、白鍵１１ｗを押鍵した場合と、黒鍵１１ｂを押鍵した場合とで、反力発生部材２１ｗ（ドーム部２１ｗ１）及び反力発生部材２１ｂ（ドーム部２１ｂ１）の変形開始時、反力ピーク時、及び変形終了時における、白鍵１１ｗの前端上面の下方への移動量と黒鍵１１ｂの前端上面の下方への移動量とがほぼ同じになるように設定した。したがって、白鍵１１ｗと黒鍵１１ｂとで構造が異なっていても、白鍵１１ｗの押離鍵操作と黒鍵１１ｂの押離鍵操作を違和感なく行うことができる。
【００３５】
そして、べース部２１ｗ３とべース部２１ｂ３の高さを異ならせることにより、ドーム部２１ｗ１の下端面とドーム部２１ｂ１の下端面の高さを異ならせたうえで、ドーム部２１ｗ１及びトップ部２１ｗ２と、ドーム部２１ｗ１及びトップ部２１ｂ２を同じ形状及び大きさにしたので、白鍵１１ｗと黒鍵１１ｂとでほぼ同一の鍵タッチ感を得ることができる。また、この第１実施形態においては、複数の反力発生部材２１ｗと複数の反力発生部材２１ｂとは一体形成され、この一体形成された反力発生部材２１ｗ，２１ｂを簡単に組み付けることができる。
【００３６】
前記説明においては、白鍵１１ｗ用のドーム部２１ｗ１の下端面と、黒鍵１１ｂ用のドーム部２１ｂ１の下端面との高さの相違について支持部３１ｄの上面を基準に説明した。しかし、これに代えて、ドーム部２１ｗ１，２１ｂ１の下端面と軸心Ｙｗ，Ｙｂとの交点を用いて前記高さの相違について説明しておく。前記の場合、図３及び図１６（Ａ）に示すように、白鍵１１ｗ用の反力発生部材２１ｗのドーム部２１ｗ１の軸心Ｙｗと、黒鍵１１ｂ用の反力発生部材２１ｂのドーム部２１ｂ１の軸心Ｙｂとが平行である。したがって、この場合、ドーム部２１ｗ１，２１ｂ１の下端面の軸心Ｙｗ，Ｙｂの方向における距離の差ΔＬは、ドーム部２１ｗ１の下端面と軸心Ｙｗとの交点Ｐｗと、ドーム部２１ｂ１の下端面と軸心Ｙｂとの交点Ｐｂの両軸心Ｙｗ，Ｙｂの方向における距離として定義できる。なお、この場合の前記距離の差ΔＬは、ドーム部２１ｗ１の下端面と軸心Ｙｗとの交点Ｐｗと、ドーム部２１ｂ１の下端面と軸心Ｙｗとの交点Ｐｂ’との距離の差としても定義できるとともに、ドーム部２１ｗ１の下端面と軸心Ｙｂとの交点Ｐｗ’と、ドーム部２１ｂ１の下端面と軸心Ｙｂとの交点Ｐｂとの距離の差としても定義できる。
【００３７】
しかし、図１６（Ｂ）に示すように、黒鍵用の反力発生部材２１ｂを白鍵用の反力発生部材２１ｗに対して傾けて組付ける場合もあり、この場合には、両軸心Ｙｗ，Ｙｂは平行でなく、前記方法ではドーム部２１ｗ１，２１ｂ１の下端面の高さの相違を定義し難い。そこで、本明細書では、前記両軸心Ｙｗ，Ｙｂが平行である場合も含めて、ドーム部２１ｗ１の軸心Ｙｗ及びドーム部２１ｂ１の軸心Ｙｂのうちの一方の軸心を用いて、ドーム部２１ｗ１，２１ｂ１の両下端面の位置との相違を定義する。すなわち、ドーム部２１ｗ１の下端面と軸心Ｙｗとの交点Ｐｗと、ドーム部２１ｂ１の下端面と軸心Ｙｗとの交点Ｐｂ’との軸心Ｙｗの方向における距離を定義する。あるいは、ドーム部２１ｂ１の下端面と軸心Ｙｂとの交点Ｐｂと、ドーム部２１ｗ１の下端面と軸心Ｙｂとの交点Ｐｗ’との軸心Ｙｂの方向における距離を定義する。なお、この場合でも、図１６（Ｂ）においては、軸心Ｙｗに対する軸心Ｙｂに対する傾斜を誇張して示しているので、実質的には図１６（Ａ）のようにドーム部２１ｗ１の下端面と、ドーム部２１ｂ１の下端面とにおける軸心Ｙｗ（又は軸心Ｙｂ）の方向における距離が存在する。なお、このドーム部２１ｗ１，２１ｂ１の下端面の位置に関しては、後述する各種実施形態でも同様である。
【００３８】
また、上記第１実施形態においては、ドーム部２１ｗ１及びトップ部２１ｗ２と、ドーム部２１ｂ１及びトップ部２１ｂ２とを全く同じ形状及び大きさにしたが、前記傾きのように僅かに異なる形状であってもよい。
【００３９】
また、上記第１実施形態では、反力発生部材２１ｗ，２１ｂを支持部３１ｄに固定して、白鍵１１ｗ及び黒鍵１１ｂの押圧部１１ｗ１，１１ｂ１により反力発生部材２１ｗ，２１ｂを押圧するようにした。しかし、これに代えて、反力発生部材２１ｗ，２１ｂを白鍵１１ｗ及び黒鍵１１ｂに固定して、鍵フレーム３１の上板部３１ａにおける反力発生部材２１ｗ，２１ｂに対向する位置に押圧部を設け、白鍵１１ｗ及び黒鍵１１ｂの揺動により、前記押圧部により反力発生部材２１ｗ，２１ｂが押圧されるようにしてもよい。なお、この場合には、各反力発生部材２１ｗ，２１ｂを別々に成形して、反力発生部材２１ｗ，２１ｂを白鍵１１ｗ及び黒鍵１１ｂに個別に固定する必要がある。
【００４０】
ｂ．第２実施形態
次に、複数の白鍵１１ｗ用の反力発生部材２１ｗと、複数の黒鍵１１ｂ用の反力発生部材２１ｂとを、前後方向の異なる位置にて２列に配置した第２実施形態に係る鍵盤装置について説明する。図４は第２実施形態に係る鍵盤装置を右から見た概略側面図であり、図５は前記鍵盤装置の概略平面図である。図６は、図５の各６−６線に沿って見た、白鍵１１ｗ用の反力発生部材２１ｗ及び黒鍵１１ｂ用の反力発生部材２１ｂの拡大断面図である。
【００４１】
複数の反力発生部材２１ｗは、鍵フレーム３１の上板部３１ａに設けた支持部３１ｄ１上に左右方向に沿って配置されている。支持部３１ｄ１は、上板部３１ａよりも若干低い位置にて左右方向に延設されている。複数の反力発生部材２１ｗは、弾性体により一体形成されて、上記第１実施形態と同様なドーム部２１ｗ１、トップ部２１ｗ２及びべース部２１ｗ３をそれぞれ有する。複数のドーム部２１ｗ１及びトップ部２１ｗ２は、複数の白鍵１１ｗの押圧部１１ｗ１の下方に位置する。べース部２１ｗ３は、同一の厚さに平板状に形成されて、複数のドーム部２１ｗ１を連結している。
【００４２】
複数の反力発生部材２１ｂは、鍵フレーム３１の上板部３１ａに設けた支持部３１ｄ２上に左右方向に沿って配置されている。支持部３１ｄ２は、支持部３１ｄ１の後方において上板部３１ａと同じ高さ位置にて左右方向に延設されている。複数の反力発生部材２１ｂも、弾性体により一体形成されて、上記第１実施形態と同様なドーム部２１ｂ１、トップ部２１ｂ２及びべース部２１ｂ３をそれぞれ有する。複数のドーム部２１ｂ１及びトップ部２１ｂ２は、複数の黒鍵１１ｂの押圧部１１ｂ１の下方に位置する。なお、黒鍵１１ｂの押圧部１１ｂ１は、白鍵１１ｗの押圧部１１ｗ１に対して後方に位置する。べース部２１ｂ３は、同一の厚さに平板状に形成されて、複数のドーム部２１ｂ１を連結している。この場合、白鍵１１ｗ用の反力発生部材２１ｗと黒鍵１１ｂ用の反力発生部材２１ｂとはそれぞれ独立に構成されているが、同一の形状である。特に、べース部２１ｗ３，２１ｂ３は同一の厚さを有し、ドーム部２１ｗ１，２１ｂ１とトップ部２１ｗ２，２１ｂ２も同一の形状である。
【００４３】
また、この第２実施形態においては、支持部３１ｄ１，３１ｄ２の高さの違いにより、反力発生部材２１ｗのトップ部２１ｗ２の上面の高さは、反力発生部材２１ｂのトップ部２１ｂ２の上面の高さよりも低くなる。この高さの差は、上記第１実施形態の場合と同様に、白鍵１１ｗを押鍵した場合と、黒鍵１１ｂを押鍵した場合とで、反力発生部材２１ｗ（ドーム部２１ｗ１）及び反力発生部材２１ｂ（ドーム部２１ｂ１）の変形開始時、反力ピーク時、及び変形終了時における、白鍵１１ｗの前端上面の下方への移動量と黒鍵１１ｂの前端上面の下方への移動量とがほぼ同じになるように設定されている。他の構成については上記第１実施形態と同じであるので、同一符号を用いて、その説明を省略する。
【００４４】
前記のように構成した第２実施形態に係る鍵盤装置においても、演奏者による白鍵１１ｗ及び黒鍵１１ｂの押離鍵動作においては、上記第１実施形態と同様に動作する。そして、この第２実施形態においては、支持部３１ｄ１と支持部３１ｄ２の高さを異ならせることにより、上記第１実施形態の場合と同様な理由により、白鍵１１ｗと黒鍵１１ｂとで構造が異なっていても、白鍵１１ｗの押離鍵操作と黒鍵１１ｂの押離鍵操作を違和感なく行うことができるとともに、白鍵１１ｗと黒鍵１１ｂとでほぼ同一の鍵タッチ感を得ることができる。また、この第２実施形態においても、複数の反力発生部材２１ｗは一体形成され、複数の反力発生部材２１ｂも一体形成され、この一体形成された反力発生部材２１ｗ，２１ｂをそれぞれ簡単に組み付けることができる。
【００４５】
なお、上記第２実施形態においても、ドーム部２１ｗ１及びトップ部２１ｗ２と、ドーム部２１ｂ１及びトップ部２１ｂ２とを全く同じ形状及び大きさにしたが、上記第１実施形態の場合と同様に僅かに異なる形状であってもよい。
【００４６】
また、上記第２実施形態でも、反力発生部材２１ｗ，２１ｂを支持部３１ｄ１，３１ｄ２に固定して、白鍵１１ｗ及び黒鍵１１ｂの押圧部１１ｗ１，１１ｂ１により反力発生部材２１ｗ，２１ｂを押圧するようにした。しかし、これに代えて、反力発生部材２１ｗ，２１ｂを白鍵１１ｗ及び黒鍵１１ｂに固定して、鍵フレーム３１の上板部３１ａにおける反力発生部材２１ｗ，２１ｂに対向する位置に押圧部を設け、白鍵１１ｗ及び黒鍵１１ｂの揺動により、前記押圧部により反力発生部材２１ｗ，２１ｂが押圧されるようにしてもよい。なお、この場合も、各反力発生部材２１ｗ，２１ｂを別々に成形して、反力発生部材２１ｗ，２１ｂを白鍵１１ｗ及び黒鍵１１ｂに個別に固定する必要がある。
【００４７】
ｃ．第３実施形態
次に、上記第２実施形態の複数の白鍵１１ｗ用の反力発生部材２１ｗと、複数の黒鍵１１ｂ用の反力発生部材２１ｂとを一体形成するようにした第３実施形態に係る鍵盤装置について説明する。図７は第３実施形態に係る鍵盤装置を右から見た概略側面図であり、図８は前記鍵盤装置の概略平面図である。図９は、図８の各９−９線に沿って見た、白鍵１１ｗ及び黒鍵１１ｂ用の反力発生部材２１ｗ，２１ｂの拡大断面図である。
【００４８】
この第３実施形態においては、上記第２実施形態の複数の反力発生部材２１ｗと複数の反力発生部材２１ｂとが一体形成され、各反力発生部材２１ｗ，２１ｂは上記第１及び第２実施形態と同様なドーム部２１ｗ１，２１ｂ１、トップ部２１ｗ２，２１ｂ２及びべース部２１ｗ３，２１ｂ３をそれぞれ有する。この場合、複数のべース部２１ｗ３，２１ｂ３は、それらの下面を共通な水平な平面で連続して構成しており、連続したべース部２１ｗ３の上面と、連続したべース部２１ｂ３の上面との間には段差２１ｑが設けられている。そして、一体形成された反力発生部材２１ｗ，２１ｂは上板部３１ａに設けた支持部３１ｄ上に配置されている。これにより、反力発生部材２１ｗのトップ部２１ｗ２の上面の高さを、反力発生部材２１ｂのトップ部２１ｂ２の上面の高さよりも低くしている。この高さの差は、上記第１及び第２実施形態の場合と同様に、白鍵１１ｗを押鍵した場合と、黒鍵１１ｂを押鍵した場合とで、反力発生部材２１ｗ（ドーム部２１ｗ１）及び反力発生部材２１ｂ（ドーム部２１ｂ１）の変形開始時、反力ピーク時、及び変形終了時における、白鍵１１ｗの前端上面の下方への移動量と黒鍵１１ｂの前端上面の下方への移動量とがほぼ同じになるように設定されている。他の構成については上記第１実施形態と同じであるので、同一符号を用いて、その説明を省略する。
【００４９】
前記のように構成した第３実施形態に係る鍵盤装置においても、演奏者による白鍵１１ｗ及び黒鍵１１ｂの押離鍵動作においては、上記第１及び第２実施形態と同様に動作する。そして、この第３実施形態においては、白鍵１１ｗ用のべース部２１ｗ３と黒鍵１１ｂ用のべース部２１ｂ３の厚さすなわち軸心Ｙｗ，Ｙｂの方向の長さを異ならせることにより、上記第１及び第２実施形態の場合と同様な理由により、白鍵１１ｗと黒鍵１１ｂとで構造が異なっていても、白鍵１１ｗの押離鍵操作と黒鍵１１ｂの押離鍵操作を違和感なく行うことができるとともに、白鍵１１ｗと黒鍵１１ｂとでほぼ同一の鍵タッチ感を得ることができる。また、この第３実施形態においては、複数の反力発生部材２１ｗ及び複数の反力発生部材２１ｂが一体形成され、この一体形成された反力発生部材２１ｗ，２１ｂを簡単に組み付けることができる。
【００５０】
なお、上記第３実施形態においても、ドーム部２１ｗ１及びトップ部２１ｗ２と、ドーム部２１ｂ１及びトップ部２１ｂ２とを全く同じ形状及び大きさにしたが、上記第１及び第２実施形態の場合と同様に僅かに異なる形状であってもよい。
【００５１】
また、上記第３実施形態においては、べース部２１ｗ３とべース部２１ｂ３との間に段差２１ｑを設けるようにした。しかし、段差２１ｑに代えて、図１０に示すように、べース部２１ｗ３とべース部２１ｂ３との間を傾斜面２１ｒにより接続して、ドーム部２１ｗ１の下端面とドーム部２１ｂ１の下端面の高さを異ならせるようにしてもよい。
【００５２】
また、上記第３実施形態及びその変形例においては、白鍵１１ｗ用のドーム部２１ｗ１の後端（図８におけるドーム部２１ｗ１の右側端）が、黒鍵１１ｂ用のドーム部２１ｂ１の前端（図８におけるドーム部２１ｂ１の左側端）よりも前側（図８における左側）に位置するようにした。しかし、これに代えて、白鍵１１ｗ用のドーム部２１ｗ１の後端が、黒鍵１１ｂ用のドーム部２１ｂ１の前端と後端との間に位置するようにしてもよい。すなわち、ドーム部２１ｗ１はドーム部２１ｂ１に対して前方に位置するが、ドーム部２１ｗ１及びドーム部２１ｂ１が前後方向において重なった部分を有するようにしてもよい。
【００５３】
ｄ．第４実施形態
次に、一体形成した複数の反力発生部材２１ｗ，２１ｂのべース部２１ｗ３，２１ｂ３の底面を傾斜させるとともに、鍵フレーム３１の上板部３１ａに設けた支持部３１ｄも傾斜させた第４実施形態に係る鍵盤装置について説明する。図１１は第４実施形態に係る鍵盤装置を右から見た概略側面図であり、図１２は前記鍵盤装置の概略平面図である。図１３は、図１２の各１３−１３線に沿って見た、白鍵１１ｗ及び黒鍵１１ｂ用の反力発生部材２１ｗ，２１ｂの拡大断面図である。
【００５４】
この第４実施形態においては、支持部３１ｄは、前側にて低く後側にて高くなるように傾斜しており、上板部３１ａと一体的に形成されている。白鍵１１ｗの押圧部１１ｗ１及び黒鍵１１ｂの押圧部１１ｂ１は、上記第２及び第３実施形態と同様に、押圧部１１ｗ１を前側に押圧部１１ｂ１を後側にして２列に設けられて、押圧部１１ｗ１，１１ｂ１は共に前側にて高く、後側を低くした平面に形成されている。
【００５５】
複数の反力発生部材２１ｗと複数の反力発生部材２１ｂは一体形成され、各反力発生部材２１ｗ，２１ｂは上記第１乃至第３実施形態と同様なドーム部２１ｗ１，２１ｂ１、トップ部２１ｗ２，２１ｂ２及びべース部２１ｗ３，２１ｂ３をそれぞれ有する。この場合、複数のべース部２１ｗ３，２１ｂ３は、それらの下面を共通な傾斜させた平面で連続して構成しており、それらの上面を水平にした平面で構成されている。ドーム部２１ｗ１の外周面外側にはべース２１ｗ３を切欠いた円筒状の溝２１ｗ４が形成されるとともに、ドーム部２１ｂ１の外周面外側にはべース２１ｂ３を切欠いた円筒状の溝２１ｂ４が形成されている。これらの溝２１ｗ４，２１ｂ４の径方向幅は、トップ部２１ｗ２，２１ｂ２の上面からの押圧によりドーム部２１ｗ１，２１ｂ１が変形した際に、ドーム部２１ｗ１，２１ｂ１の外周面が溝２１ｗ４，２１ｂ４の内周面に接しない程度に設定されている。
【００５６】
この場合、ドーム部２１ｗ１，２１ｂ１の高さは、溝２１ｗ４，２１ｂ４の底面からドーム部２１ｗ１，２１ｂ１の上面までの高さである。そして、溝２１ｗ４の深さを溝２１ｂ４の深さよりも深くすることにより、ドーム部２１ｗ１及びトップ部２１ｗ２の高さが、ドーム部２１ｂ１及びトップ部２１ｂ２の高さよりも低くなるようにしている。なお、ドーム部２１ｗ１及びトップ部２１ｗ２と、ドーム部２１ｂ１及びトップ部２１ｂ２とは同一の形状に構成されており、ドーム部２１ｗ１の下端面から上端面までの距離Ｌｗはドーム部２１ｂ１の下端面から上端面までの距離Ｌｂに等しい。このドーム部２１ｗ１，２１ｂ１の高さの差は、上記第１乃至第４実施形態の場合と同様に、白鍵１１ｗを押鍵した場合と、黒鍵１１ｂを押鍵した場合とで、反力発生部材２１ｗ（ドーム部２１ｗ１）及び反力発生部材２１ｂ（ドーム部２１ｂ１）の変形開始時、反力ピーク時、及び変形終了時における、白鍵１１ｗの前端上面の下方への移動量と黒鍵１１ｂの前端上面の下方への移動量とがほぼ同じになるように設定されている。他の構成については上記第１乃至第３実施形態と同じであるので、同一符号を用いて、その説明を省略する。
【００５７】
前記のように構成した第４実施形態に係る鍵盤装置においても、演奏者による白鍵１１ｗ及び黒鍵１１ｂの押離鍵動作においては、上記第１及び第２実施形態と同様に動作する。そして、この第４実施形態においては、溝２１ｗ４と溝２１ｂ４の深さを異ならせることにより、上記第１乃至第３実施形態の場合と同様な理由により、白鍵１１ｗと黒鍵１１ｂとで構造が異なっていても、白鍵１１ｗの押離鍵操作と黒鍵１１ｂの押離鍵操作を違和感なく行うことができるとともに、白鍵１１ｗと黒鍵１１ｂとでほぼ同一の鍵タッチ感を得ることができる。また、この第４実施形態においては、複数の反力発生部材２１ｗ及び複数の反力発生部材２１ｂが一体形成され、かつべース部２１ｗ３，２１ｂ３の底面を連続的に傾斜させているので、傾斜した支持部３１ｄにこの一体形成された反力発生部材２１ｗ，２１ｂを簡単に組み付けることができる。
【００５８】
なお、上記第４実施形態においても、ドーム部２１ｗ１及びトップ部２１ｗ２と、ドーム部２１ｂ１及びトップ部２１ｂ２とを全く同じ形状及び大きさにしたが、上記第１乃至第３実施形態の場合と同様に僅かに異なる形状であってもよい。
【００５９】
また、上記第４実施形態においては、溝２１ｗ４，２１ｂ４の深さの相違により、ドーム部２１ｗ１及びトップ部２１ｗ２の高さと、ドーム部２１ｂ１及びトップ部２１ｂ２の高さとを異ならせた。しかし、この溝２１ｗ４，２１ｂ４を設けることなく、図１４に示すように、べース部２１ｗ３，２１ｂ４の下面を傾斜させたうえで、べース部２１ｗ３の上面とべース部２１ｂ３の上面との間に段差２１ｑを設けるようにしてもよい。これによっても、ドーム部２１ｗ１及びトップ部２１ｗ２と、ドーム部２１ｂ１及びトップ部２１ｂ２との形状を同一にした状態で、ドーム部２１ｗ１及びトップ部２１ｗ２の高さと、ドーム部２１ｂ１及びトップ部２１ｂ２の高さとを異ならせることもできる。また、この段差２１ｑに代えて、上記第３実施形態の変形例と同様に、べース部２１ｗ３とべース部２１ｂ３との間を傾斜面２１ｒにより接続して、ドーム部２１ｗ１の下端面とドーム部２１ｂ１の下端面の高さを異ならせるようにしてもよい（図１０参照）。
【００６０】
また、上記第４実施形態及びその変形例においては、白鍵１１ｗ用のドーム部２１ｗ１の後端（図８におけるドーム部２１ｗ１の右側端）が、黒鍵１１ｂ用のドーム部２１ｂ１の前端（図１２におけるドーム部２１ｂ１の左側端）よりも前側（図１２における左側）に位置するようにした。しかし、この場合も、白鍵１１ｗ用のドーム部２１ｗ１の後端が、黒鍵１１ｂ用のドーム部２１ｂ１の前端と後端との間に位置するようにしてもよい。すなわち、ドーム部２１ｗ１はドーム部２１ｂ１に対して前方に位置するが、ドーム部２１ｗ１及びドーム部２１ｂ１が前後方向において重なった部分を有するようにしてもよい。
【００６１】
ｅ．第５実施形態
次に、白鍵１１ｗ及び黒鍵１１ｂの揺動により連動して揺動する揺動体が、反力発生部材２１ｗ，２１ｂを押圧する第５実施形態について説明する。図１５はこの第５実施形態に係る鍵盤装置を示しており、この鍵盤装置は前記揺動体としてのハンマー４１ｗ，４１ｂを白鍵１１ｗ及び黒鍵１１ｂに対応させて備えている。
【００６２】
ハンマー４１ｗ，４１ｂは、白鍵１１ｗ及び黒鍵１１ｂにそれぞれ対応したハンマー支持部材４２によってそれぞれ揺動可能に支持されている。ハンマー支持部材４２は、白鍵１１ｗ及び黒鍵１１ｂの前後方向の中間位置にて、上板部３１ａの下面から下方に延設している。ハンマー４１ｗ，４１ｂは、それぞれ基部４１ｗ１，４１ｂ１、連結棒４１ｗ２，４１ｂ２及び質量体４１ｗ３，４１ｂ３からなる。基部４１ｗ１，４１ｂ１は、その中間部にて、揺動軸Ｃｗ１，Ｃｂ１回りに揺動可能にハンマー支持部材４２により支持され、質量体４１ｗ３，４１ｂ３を上下方向に揺動させる。基部４１ｗ１，４１ｂ１の前部は２股に分かれた脚部を備えており、脚部の間には、白鍵１１ｗ及び黒鍵１１ｂの下面からそれぞれ垂直に延設させた延設部４３ｗ，４３ｂに設けた駆動軸４３ｗ１，４３ｂ１が摺動可能に貫通している。延設部４３ｗ，４３ｂは、上板部３１ａに設けた貫通孔を上下方向に変位可能に貫通している。これにより、白鍵１１ｗ及び黒鍵１１ｂが押されると、基部４１ｗ１，４１ｂ１の前端が下方に変位するようになっている。連結棒４１ｗ２，４１ｂ２は、前後方向に延設されて、基部４１ｗ１，４１ｂ１と質量体４１ｗ３，４１ｂ３とを連結している。質量体４１ｗ３，４１ｂ３は、その重量により、ハンマー４１ｗ，４１ｂの前端側を上方に付勢している。
【００６３】
質量体４１ｗ３，４１ｂ３の下方には、質量体４１ｗ３，４１ｂ３の下方への移動を規制する上限ストッパ部材４４がフレームＦＲに固定されている。上限ストッパ部材４４も、フェルトのような緩衝部材により構成されている。これにより、離鍵状態では、質量体４１ｗ３，４１ｂ３は上限ストッパ部材４４上に位置し、白鍵１１ｗ及び黒鍵１１ｂの前端部の上方への変位が規制される。したがって、この第５実施形態では、上記第１実施形態の上限ストッパ部材３５ｗ，３５ｂ及び延設部１１ｗ２，１１ｂ２が存在しない。
【００６４】
反力発生部材２１ｗ，２１ｂは、質量体４１ｗ３，４１ｂ３に対向する位置にて上板部３１ａに設けた支持部３１ｆｗ、３１ｆｂの下面に固定されている。質量体４１ｗ３，４１ｂ３の上面は、平面からなる押圧部４１ｗ４，４１ｂ４を構成し、押圧部４１ｗ４，４１ｂ４は離鍵状態にて反力発生部材２１ｗ，２１ｂのトップ部２１ｗ２，２１ｂ２の下面（上記第１乃至第４実施形態の上面に相当）に対向している。そして、押鍵時には、押圧部４１ｗ４，４１ｂ４が上方に変位してトップ部２１ｗ２，２１ｂ２の下面に当接して、反力発生部材２１ｗ，２１ｂをそれぞれ押圧する。この場合も、前記押圧により、反力発生部材２１ｗ，２１ｂは弾性変形して、反力がピークに達した後に座屈変形する。また、ハンマー４１ｗ，４１ｂは、白鍵１１ｗ及び黒鍵１１ｂの押鍵操作に対して反力を付与するので、上記第１実施形態のスプリング３４ｗ，３４ｂは存在してもよいが、この第５実施形態では省略されている。
【００６５】
この第５実施形態においても、質量体４１ｗ３，４１ｂ３の上下方向の移動量が、白鍵１１ｗと黒鍵１１ｂとで異なるために、反力発生部材２１ｗ，２１ｂを上記第１実施形態の場合と同様に、ドーム部２１ｗ１及びトップ部２１ｗ２の高さ位置と、ドーム部２１ｂ１及びトップ部２１ｂ２の高さ位置とを異ならせる。なお、反力発生部材２１ｗ，２１ｂの構成及び形状に関しては、上記第１実施形態と同様にする。他の構成に関しては、上記第１実施形態と同じであるので、同一符号を付してその説明を省略する。
【００６６】
このように構成した第５実施形態においては、白鍵１１ｗ及び黒鍵１１ｂの押鍵時には、延設部４３ｗ，４３ｂの駆動軸４３ｗ１，４３ｂ１が下方に変位し、ハンマー４１ｗ，４１ｂは、搖動軸Ｃｗ１，Ｃｂ１を中心に反時計方向に揺動する。そして、ハンマー４１ｗ，４１ｂの質量体４１ｗ３，４１ｂ３の押圧部４１ｗ４，４１ｂ４が反力発生部材２１ｗ、２１ｂを押圧し、反力発生部材２１ｗ，２１ｂは弾性変形した後に座屈する。さらに、押鍵が進むと、反力発生部材２１ｗ，２１ｂは更に弾性変形し、白鍵１１ｗ及び黒鍵１１ｂは、それらの前端下面の下限ストッパ部材３６ｗ，３６ｂへの当接により、押鍵が終了する。なお、この押鍵時には、ハンマー４１ｗ，４１ｂ及び反力発生部材２１ｗ，２１ｂの両者により、押鍵に対する反力が演奏者に与えられる。
【００６７】
一方、白鍵１１ｗ及び黒鍵１１ｂの離鍵時には、質量体４１ｗ３，４１ｂ３の重量により、ハンマー４１ｗ，４１ｂは時計方向に揺動して、白鍵１１ｗ及び黒鍵１１ｂの前端部は上方に変位する。そして、質量体４１ｗ３，４１ｂ３の下面が上限ストッパ部材４４にと当接すると、白鍵１１ｗ及び黒鍵１１ｂの揺動は停止し、白鍵１１ｗ及び黒鍵１１ｂは元の離鍵状態に復帰する。
【００６８】
このように構成されて動作する第５実施形態に係る鍵盤装置においても、上記第１実施形態の場合と同様な理由により、白鍵１１ｗと黒鍵１１ｂとで構造が異なっていても、白鍵１１ｗの押離鍵操作と黒鍵１１ｂの押離鍵操作を違和感なく行うことができるとともに、白鍵１１ｗと黒鍵１１ｂとでほぼ同一の鍵タッチ感を得ることができる。また、複数の反力発生部材２１ｗ，２１ｂは一体形成されているので、反力発生部材２１ｗ，２１ｂを簡単に組み付けることができる。
【００６９】
また、この第５実施形態においても、上記第２乃至第４実施形態、及びそれらの変形例と同様に、白鍵１１ｗ用の複数の反力発生部材２１ｗと、黒鍵１１ｗ用の複数の反力発生部材２１ｂとを前後２列に左右方向に沿って配置させるようにしてもよい。そして、この場合も、複数の反力発生部材２１ｗを一体形成するとともに複数の反力発生部材２１ｂを一体形成したり、複数の反力発生部材２１ｗ及び複数の反力発生部材２１ｂを一体形成したりするとよい。
【００７０】
さらに、前記のようなハンマー４１ｗ，４１ｂを有する鍵盤装置においても、上記第１及び第２実施形態の変形例のように、反力発生部材２１ｗ，２１ｂをハンマー４１ｗ，４１ｂの質量体４１ｗ３，４１ｂ３の上面に固定し、かつハンマー４１ｗ，４１ｂに対向する鍵フレーム３１の上板部３１ａの下面に反力発生部材２１ｗ，２１ｂのトップ部２１ｗ２，２１ｂ２の上面を押圧する押圧部を設けるようにしてもよい。
【００７１】
ｆ．その他の変形例
上記第１乃至第５実施形態、及びそれらの変形例においては、白鍵１１ｗ用の反力発生部材２１ｗのドーム部２１ｗ１の下端の高さを、黒鍵１１ｂ用の反力発生部材２１ｂのドーム部２１ｗ１の下端の高さよりも低くした例について説明した。しかし、白鍵１１ｗ及び黒鍵１１ｂの構造によっては、白鍵１１ｗ用の反力発生部材２１ｗのドーム部２１ｗ１の下端の高さを、黒鍵１１ｂ用の反力発生部材２１ｂのドーム部２１ｗ１の下端の高さよりも高くする場合もある。
【００７２】
また、上記第１乃至第５実施形態、及びそれらの変形例においては、白鍵１１ｗ用の反力発生部材２１ｗのドーム部２１ｗ１及びトップ部２１ｗ２と、黒鍵１１ｂ用の反力発生部材２１ｂのドーム部２１ｂ１及びトップ部２１ｂ２の形状及び大きさを同じにしたが、トップ部２１ｗ２，２１ｂ２は押圧時にほとんど変形しないので、トップ部２１ｗ２とトップ部２１ｂ２の形状及び大きさ、特に上面から下面までの軸心Ｙｗ，Ｙｂ方向の長さに関しては、異なっていてもよい。
【００７３】
また、上記第１乃至第５実施形態、及びそれらの変形例においては、鍵スイッチ３８ｗ，３８ｂとは独立して反力発生部材２１ｗ，２１ｂを設けるようにした。しかし、これに代えて、鍵スイッチ３８ｗ，３８ｂを反力発生部材２１ｗ，２１ｂと同様に構成して、鍵スイッチ３８ｗ，３８ｂを反力発生部材として利用するようにしてもよい。この場合、ドーム部２１ｗ１，２１ｂ１を内側部分と外側部分との２段構成とし、内側部分と外側部分との間に円筒状の変形量の少ないスイッチ部分を設ける。そして、外側部分の変形により押鍵に対して増加する反力を発生するとともにスイッチ部分で基板に設けた接点を開閉するようにし、かつ内側部分の変形により座屈変形を伴う押鍵に対する反力を発生するようにするとよい。
【００７４】
さらに、上記第１乃至第５実施形態、及びそれらの変形例においては、白鍵１１ｗ及び黒鍵１１ｂを回転軸を中心に揺動させるようにした例について説明した。しかし、これに限らず、白鍵１１ｗ及び黒鍵１１ｂの後端に板状の薄肉部を設け、薄肉部の後端を支持部材に支持させることにより、薄肉部の弾性変形により白鍵１１ｗ及び黒鍵１１ｂを揺動させるようにしたヒンジ型の揺動支点を利用するものでもよい。ただし、この場合には、上述した搖動軸Ｃｗ，Ｃｂは、僅かではあるが、白鍵１１及び黒鍵１１ｂの搖動に伴って変化、すなわち搖動軸Ｃｗ，Ｃｂの位置は時間経過に従って変化する。
【符号の説明】
【００７５】
１１ｗ…白鍵、１１ｂ…黒鍵、１１ｗ１，１１ｂ１…押圧部、２１ｗ，２１ｂ…反力発生部材、２１ｗ１，２１ｂ１…ドーム部、２１ｗ２，２１ｂ２…トップ部、２１ｗ３，２１ｂ３…べース部、２１ｗ４，２１ｂ４…溝、２１ｐ，２１ｑ…段差、２１ｒ…傾斜面、３１…鍵フレーム、３１ｄ，３１ｄ１，３１ｄ２…支持部、３２…鍵支持部、３４ｗ，３４ｂ…スプリング、４１ｗ，４１ｂ…ハンマー、４１ｗ４，４１ｂ４…押圧部、Ｃｗ，Ｃｂ、Ｃｗ１，Ｃｂ１…揺動軸、Ｙｗ，Ｙｂ…軸心、Ｐｂ，Ｐｂ’，Ｐｗ，Ｐｗ’…交点
【図１】
2015068970.tif 000003
【図２】
2015068970.tif 000004
【図３】
2015068970.tif 000005
【図４】
2015068970.tif 000006
【図５】
2015068970.tif 000007
【図６】
2015068970.tif 000008
【図７】
2015068970.tif 000009
【図８】
2015068970.tif 000010
【図９】
2015068970.tif 000011
【図１０】
2015068970.tif 000012
【図１１】
2015068970.tif 000013
【図１２】
2015068970.tif 000014
【図１３】
2015068970.tif 000015
【図１４】
2015068970.tif 000016
【図１５】
2015068970.tif 000017
【図１６】
2015068970.tif 000018